(57)【要約】【課題】非表示領域で誤放電が起こらないようにすると共に，表示領域で均一な輝度特性を有することができるプラズマディスプレイパネルを提供する。【解決手段】プラズマ放電を利用したプラズマディスプレイのパネルであるプラズマディスプレイパネルが提供され，上記ディスプレイパネル上において画像が表示されない非表示領域４２内の非表示隔壁４４によって形成される空間を，放電空間３６に対応して一対に設けられる放電維持電極３０の電極毎に仕切る，第２非表示隔壁部４４ｂが設けられる。かかる構成により，上記非表示領域４２内での誤放電を防止できる。また，非表示隔壁４４の構成によって，表示領域４０における均一な輝度特性を有することができる。【選択図】　図１
2004103562.tif 000002
【特許請求の範囲】
【請求項１】
プラズマ放電を利用したプラズマディスプレイのパネルであるプラズマディスプレイパネルであって：
間隔をおいて実質的に平行に配置され，前記ディスプレイパネルの背面を形成する第１基板，および前記ディスプレイパネルの前面を形成する第２基板と；
前記第１基板の前面側に形成される複数のアドレス電極と；
前記アドレス電極を覆いながら第１基板の前面側に形成される第１誘電層と；前記第１基板に対向し，前記第２基板の背面側に配置される複数の放電維持電極と；
前記放電維持電極を覆いながら前記第２基板の背面側に形成される第２誘電層と；
前記第１基板と第２基板の間において，前記第１基板と第２基板に設定される表示領域内に配置されて放電空間を形成する複数の表示隔壁と；
前記第１基板と第２基板の間において，前記第１基板と第２基板に設定される非表示領域内に配置される非表示隔壁と；
前記放電空間内に形成される蛍光層と；
前記放電空間内に注入される放電ガスとを含み；
前記非表示隔壁は，前記表示隔壁と同じ幅を有する第１非表示隔壁部と，
前記表示隔壁のうち前記表示領域の縁にあたる最外郭隔壁と前記第１非表示隔壁部との間に配置され，前記外郭隔壁と前記第１非表示隔壁部とを連結する１または２以上の第２非表示隔壁部とを含むことを特徴とする，プラズマディスプレイパネル。
【請求項２】
前記第１非表示隔壁部は，前記最外郭隔壁と間隔をおいて実質的に平行に配置され，前記第２非表示隔壁部は，前記第１非表示隔壁部および最外郭隔壁に対して直交に配置され，前記第１非表示隔壁部と最外郭隔壁とを連結することを特徴とする，請求項１に記載のプラズマディスプレイパネル。
【請求項３】
前記放電維持電極は，前記放電空間に対応して一対に設けられ，前記第２非表示隔壁部は，前記第１非表示隔壁部と最外郭隔壁の間に形成される空間を前記一対の放電維持電極の電極毎に仕切るように配置されることを特徴とする，請求項１または２のいずれかに記載のプラズマディスプレイパネル。
【請求項４】
前記第２非表示隔壁部は，１または２以上の放電維持電極対のうちいずれか１つに配置されることを特徴とする，請求項３に記載のプラズマディスプレイパネル。
【請求項５】
前記第２非表示隔壁部は，１または２以上の放電維持電極対の全てに対して配置されることを特徴とする，請求項３に記載のプラズマディスプレイパネル。
【請求項６】
前記第２非表示隔壁部は，１または２以上の放電維持電極対に対して規則的に配置されることを特徴とする，請求項３に記載のプラズマディスプレイパネル。
【請求項７】
前記表示隔壁は，格子パターンを形成することを特徴とする，請求項１に記載のプラズマディスプレイパネル。
【請求項８】
前記表示隔壁は，ストライプパターンを形成することを特徴とする，請求項１に記載のプラズマディスプレイパネル。
【請求項９】
前記第１非表示隔壁部は，ストライプパターンを形成することを特徴とする，請求項１に記載のプラズマディスプレイパネル。
【請求項１０】
前記最外郭隔壁の表示隔壁側に連結設置され，表示領域内の他の表示隔壁と共に放電空間を形成する２次最外郭隔壁をさらに含み，
前記最外郭隔壁が前記第２非表示隔壁部の形成による形状の変形を吸収することを特徴とする，請求項１に記載のプラズマディスプレイパネル。
【請求項１１】
前記最外郭隔壁と前記２次最外郭隔壁との平均間隔は，前記第２最外郭隔壁と実質的平行に配置された，表示領域内の他の表示隔壁間の間隔より小さいことを特徴とする，請求項１０に記載のプラズマディスプレイパネル。
【発明の詳細な説明】
【０００１】
【発明の属する技術分野】
本発明はプラズマディスプレイパネルにかかり，特に非表示領域に非表示隔壁を形成するプラズマディスプレイパネルに関する。
【０００２】
【従来の技術】
近来，プラズマディスプレイパネルは，平面形壁掛けテレビなど大画面の画像表示装置として脚光を浴びている。このプラズマディスプレイパネルは，放電セル内で起こる放電メカニズムによって任意の画像を実現する。
【０００３】
上記プラズマディスプレイパネルにおいて，放電セルは，ストライプまたは格子パターン等の任意のパターンを有し，基板上に形成される隔壁によって形成される。この隔壁は，基板上に設定される表示領域内に配置される表示隔壁と，表示領域以外の領域，即ち非表示領域内に配置される非表示隔壁に大別される。
【０００４】
ここで上記非表示隔壁の形成目的は，表示領域に形成されるプラズマディスプレイパネルの構成要素，即ち，誘電体層，保護層，アドレス電極，表示隔壁および蛍光体などが表示領域内で安定した厚さ寸法を有して形成できるようにすることである。
【０００５】
しかし，上記非表示隔壁によって，非表示領域においても表示領域同様の放電セルが形成されると，表示領域内の放電セル内で放電が起こらない場合でも，非表示領域内の放電セル内で放電が起きることがある。このようなことがプラズマディスプレイパネルの画質を劣化させる。
【０００６】
このような非表示領域における放電セル内の誤放電は，非表示領域に近接した表示領域内の放電セルで発生した電荷が，当該放電セルの表示隔壁を越えて非表示領域内の放電セルに移動し，この非表示領域内の放電セルの非表示隔壁に蓄積されることによって起こると考えられている。
【０００７】
このような誤放電を防止するために，この非表示隔壁によって形成される放電セルの体積を減少（実質的にダミー放電セルを形成する空間を除去）させることが提案されている（例えば特許文献１参照）。
【０００８】
一方，プラズマディスプレイパネルだけでなく，全てのディスプレイ装置ではその表示領域内の全ての領域で均一な輝度分布が発揮されることが要求される。
【０００９】
しかし，前述の非表示隔壁を有するプラズマディスプレイパネルにおいては，表示領域と非表示領域の境界部分における輝度が，表示領域内の他の部分の輝度より高くなることがあり，全体的な輝度特性に問題を起こしている。
【００１０】
境界部で高輝度になる原因は，隔壁の形成時にある。非表示領域内の放電セルを形成せず，また前述の非表示隔壁の幅（厚さ）を表示領域内の表示隔壁の幅（厚さ）より大きくして非表示隔壁を形成する場合，この非表示隔壁を形成するペーストを基板上に塗布して焼成工程を経る時に，非表示隔壁の収縮量が表示領域内の他の表示隔壁の収縮量より大きくなる。このことによって表示領域内の縁（境界部）に位置した放電セルの体積を増加させる。
【００１１】
【特許文献１】
特開２００１−３５３８１号公報
【発明が解決しようとする課題】
本発明は，従来のプラズマディスプレイパネルが有する上記問題点に鑑みてなされたものであり，本発明の目的は，非表示領域で誤放電が起こらないようにすると共に，表示領域で均一な輝度特性を有することが可能な，新規かつ改良されたプラズマディスプレイパネルを提供することである。
【００１２】
【課題を解決するための手段】
上記課題を解決するため，本発明の第１の観点によれば，プラズマ放電を利用したプラズマディスプレイのパネルであるプラズマディスプレイパネルであって：間隔をおいて実質的に平行に配置され，上記ディスプレイパネルの背面を形成する第１基板，および上記ディスプレイパネルの前面を形成する第２基板と；上記第１基板の前面側に形成される複数のアドレス電極と；上記アドレス電極を覆いながら第１基板の前面側に形成される第１誘電層と；上記第１基板に対向し，上記第２基板の背面側に配置される複数の放電維持電極と；上記放電維持電極を覆いながら上記第２基板の背面側に形成される第２誘電層と；上記第１基板と第２基板の間において，上記第１基板と第２基板に設定される表示領域内に配置されて放電空間を形成する複数の表示隔壁と；上記第１基板と第２基板の間において，上記第１基板と第２基板に設定される非表示領域内に配置される非表示隔壁と；上記放電空間内に形成される蛍光層と；上記放電空間内に注入される放電ガスとを含むプラズマディスプレイパネルが提供される。
【００１３】
ここで，前面側とは映像が映し出されるプラズマディスプレイパネルの前面の方向を指し，背面側とはプラズマディスプレイパネルの前面と反対の面の方向を指す。
【００１４】
また，上記非表示隔壁は，上記表示隔壁と同じ幅を有する第１非表示隔壁部と，上記表示隔壁のうち上記表示領域の縁にあたる外郭隔壁と上記第１非表示隔壁部との間に配置され，上記外郭隔壁と上記第１非表示隔壁部とを連結する１または２以上の第２非表示隔壁部とを含むとしても良い。
【００１５】
このように同じ幅を有する構成により，プラズマディスプレイパネルの製造過程のうちの焼成工程時において，上記第１非表示隔壁部の形状が収縮しても表示隔壁と同程度の収縮なので，表示隔壁によって形成される放電空間の大きさが変化しない。
【００１６】
また，上記第１非表示隔壁部は，上記最外郭隔壁と間隔をおいて実質的に平行に配置され，上記第２非表示隔壁部は，上記第１非表示隔壁部および最外郭隔壁に対して直交に配置され，上記第１非表示隔壁部と最外郭隔壁とを連結することができる。
【００１７】
また，上記放電維持電極は，上記放電空間に対応して一対に設けられ，上記第２非表示隔壁部は，上記第１非表示隔壁部と最外郭隔壁の間に形成される空間を上記一対の放電維持電極の電極毎に仕切るように配置されるとしても良い。
【００１８】
かかる構成により，非表示領域において，上記放電維持電極による誤放電が生じるのを防止することが可能となる。
【００１９】
また，上記第２非表示隔壁部は，１または２以上の放電維持電極対のうちいずれか１つに配置されても良く，全ての放電維持電極対に対して配置されても良く，放電維持電極対に対して規則的に配置されても良い。
【００２０】
また，上記表示隔壁は，格子パターンを形成することもでき，ストライプパターンを形成することもできる。
【００２１】
また，上記第１非表示隔壁部は，ストライプパターンを形成することもできる。
【００２２】
また，上記最外郭隔壁の表示隔壁側に連結設置され，表示領域内の他の表示隔壁と共に放電空間を形成する２次最外郭隔壁をさらに含むこともでき，上記最外郭隔壁が上記第２非表示隔壁部の形成による形状の変形を吸収するとしても良い。
【００２３】
かかる構成により，焼成行程において最外郭隔壁の形状が変形しても，この最外郭隔壁の代わりに上記２次最外郭隔壁が表示隔壁の機能を果たし，放電セルの体積を維持するので，表示領域で均一な輝度特性を有することができる。
【００２４】
また，上記最外郭隔壁と上記２次最外郭隔壁との平均間隔は，上記第２最外郭隔壁と実質的平行に配置された，表示領域内の他の表示隔壁間の間隔より小さいとしても良い。
【００２５】
【発明の実施の形態】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００２６】
（第１の実施の形態）
図１は，第１の実施形態によるプラズマディスプレイパネルを示した部分の分解斜視図である。図示のように，プラズマディスプレイは，ガラス等からなる透明な第１基板２０と第２基板２２が任意の間隔をおいて実質的に平行に配置され，この第１基板２０と第２基板２２間の放電メカニズムによって画像を実現する構成を有する。
【００２７】
その構成を具体的に説明すると，第２基板２２に対向する第１基板２０の前面側の一面には透明な第１誘電層２４で覆われるストライプ形の複数からなるアドレス電極２６が互いに平行に形成される。
【００２８】
また，第１基板２０に対向する第２基板２２の背面側の面には，アドレス電極２６と直交状態に配置されるストライプパターンの複数からなる放電維持電極３０が互いに平行に形成される。この放電維持電極３０は酸化スズインジウム（ＩＴＯ：ｉｎｄｉｕｍ　ｔｉｎ　ｏｘｉｄｅ）のような透明な材質で形成される。さらに上記放電維持電極３０は，透明な第２誘電層２８で覆われる
【００２９】
また，第２基板２２の第２誘電層２８の背面側には酸化マグネシウム（ＭｇＯ：ｍａｇｎｅｓｉｕｍ　ｏｘｉｄｅ）などを用いた透明な保護膜３２が形成され，第１基板２０と第２基板２２との間には，アドレス電極２６と平行に，これらアドレス電極２６の間に位置する複数の表示隔壁３４が設けられる。これら表示隔壁３４は，アドレス電極２６と平行に設けられた隔壁とこの隔壁間で直交するように設けられた隔壁とによって放電空間３６を形成し，この放電空間３６内には放電ガス（図示せず）が注入される。表示隔壁３４の側面および第１基板２０上の第１誘電層２４の前面側にはＲ，Ｇ，Ｂ蛍光体から構成された蛍光層３８が形成される。
【００３０】
図２は，プラズマディスプレイパネルを示した平面図である。
【００３１】
上記表示隔壁３４が形成される位置は，図２に示すように，第１基板２０，第２基板２２に設定される表示領域４０内である。本実施形態では，表示隔壁３４は，アドレス電極２６と平行に設けられた隔壁とこの隔壁間で直交するように設けられた隔壁とによって格子状のパターンを形成している。しかし，表示隔壁３４のパターンはこれに限られるわけではない。例えば，表示隔壁３４はストライプパターン（図示せず）のような他の形状に形成することもできる。
【００３２】
さらに，プラズマディスプレイパネルには，第１基板２０，第２基板２２の間に前述の表示隔壁３４だけでなく，第１基板２０，第２基板２２に設定される非表示領域４２（図２参照）に配置される非表示隔壁４４も形成される。
【００３３】
上記非表示隔壁４４は，プラズマディスプレイパネルにおける一般的な非表示隔壁のとしての機能も果たすように形成されるが，本実施形態において，非表示領域４２で起こり得る誤放電を防止すると共にプラズマディスプレイパネルの示す輝度が表示領域４０上において全体的に均一になるように形成される。
【００３４】
また，上記非表示隔壁４４は，表示領域４０内の表示隔壁３４の幅ｗ１と同じ幅ｗ２を有する第１非表示隔壁部４４ａと，この第１非表示隔壁部４４ａと表示隔壁３４のうち表示領域４０の縁（図３に図示したように，表示領域（ｄｉｓｐｌａｙ　ｒｅｇｉｏｎ）と非表示領域（ｎｏｎ−ｄｉｓｐｌａｙ　ｒｅｇｉｏｎ）との境界を意味する）にあたる最外郭隔壁３４ａとの間に配置され，これら第１非表示隔壁４４ａと最外郭隔壁３４ａに連結される第２非表示隔壁部４４ｂとを含む。
【００３５】
図４は，本実施形態によるプラズマディスプレイパネルの非表示隔壁４４と放電維持電極３０間の関係を説明するための概略図である。
【００３６】
上記第１非表示隔壁部４４ａは，最外郭隔壁３４ａと任意の間隔ｄをおいてこの最外郭隔壁３４ａと実質的に平行に配置される。また，第２非表示隔壁部４４ｂは，第１非表示隔壁部４４ａと最外郭隔壁３４ａに対して直交に配置され，これら第１非表示隔壁４４ａと最外郭隔壁３４ａに連結される。
【００３７】
この時，第２非表示隔壁部４４ｂは，第１基板２０と第２基板２２の相互結合時，放電空間３６に対応して一対として設けられた放電維持電極３０の間に配置され，第１非表示隔壁部４４ａと最外郭隔壁３４ａを連結する。
【００３８】
このように第２非表示隔壁部４４ｂは，複数の放電維持電極３０中のいずれか一対の放電維持電極３０の中間に配置される。
【００３９】
（第２の実施の形態）
図５は，第２の実施形態によるプラズマディスプレイパネルの非表示隔壁４４と放電維持電極３０間の関係を説明するための概略図である。
【００４０】
本実施形態によると，上記第２非表示隔壁部４４ｂは，１または２以上の放電維持電極３０の対の全てに対して放電維持電極３０間に配置されている。
【００４１】
（第３の実施の形態）
図６は，第３の実施形態によるプラズマディスプレイパネルの非表示隔壁４４と放電維持電極３０間の関係を説明するための概略図である。
【００４２】
本実施形態によると，上記第２非表示隔壁部４４ｂは，１または２以上の放電維持電極３０の対に対して規則的（選択的）に配置されている。
【００４３】
このような非表示隔壁４４を有するプラズマディスプレイパネルは，互いに対向する第１基板２０と第２基板２２をあわせ，その周囲をフリット４６で封止することによって一つのディスプレイ装置を構成する（図３参照）。
【００４４】
従って，上記のように構成されるプラズマディスプレイパネルは，非表示隔壁４４の構成によってその作用時に，非表示領域４２内で起こり得る誤放電を防止することができる。これは，非表示隔壁４４の第２非表示隔壁部４４ｂが放電維持電極３０の間に配置されることによって，非表示領域４２上に放電を起こすことができる空間が減少したためである。
【００４５】
さらに，非表示隔壁４４の第１非表示隔壁部４４ａは，表示領域４０上に設けられる表示隔壁３４と同一な幅を有して形成されている。従って，プラズマディスプレイパネルの製造過程のうち焼成工程時において，隔壁の形状が収縮しても表示領域４０内の表示隔壁３４と同程度に収縮するので，表示隔壁３４によって形成される放電空間３６の大きさに実質的な影響を与えない。これによって表示領域４０で示されるプラズマディスプレイパネルの輝度は表示領域４０内の全域にかけて均一に実現できる。
【００４６】
（第４の実施の形態）
図７は第４の実施形態において，表示領域４０内に配置される表示隔壁３４が，上記例とは異なり，ストライプパターンとして形成された場合を示している。
【００４７】
（第５の実施の形態）
図８は，第５の実施形態によるプラズマディスプレイパネルの隔壁を説明するための概略図である。
【００４８】
ここでプラズマディスプレイパネルは，最外郭隔壁３４ａの表示隔壁側に連結設置され，表示領域内の他の表示隔壁３４と共に放電空間３６を形成する２次最外郭隔壁３４ｂをさらに含むことができる。２次最外郭隔壁３４ｂは，最外郭隔壁３４ａに連結設置される時，表示領域４０側に向かって配置され，上記表示隔壁３４と同一なパターンを有する。かかる構成では，上記最外郭隔壁３４ａが上記第２非表示隔壁部４４ｂの形成による形状の変形を吸収する。
【００４９】
この時，最外郭隔壁３４ａと２次最外郭隔壁３４ｂの間の平均間隔または間隔ｄ１は，第２最外郭隔壁と実質的に平行に配置された，表示隔壁３４の間の間隔ｄ２より小さく設定される。
【００５０】
このような２次最外郭隔壁３４ｂは，前述のように表示隔壁３４と非表示隔壁４４の焼成工程時において，最外郭隔壁３４ａが第２非表示隔壁部４４ｂと連結されたことによりその形状が変形（図面の矢印参照）され，表示隔壁３４としての機能を遂行できなくなった場合でも，２次的に対応し，表示領域４０内の放電空間３６を形成する表示隔壁３４として機能する。
【００５１】
第５の実施形態のような変形例おいては，最外郭隔壁３４ａの構造的な変形によって最外郭隔壁３４ａおよび２次最外郭隔壁３４ｂの間に所定の空間が形成され，この空間において放電が起こるおそれがある。しかし，実質的にその空間の大きさは非常に微細なため放電は起こらない。
【００５２】
以上，添付図面を参照しながら本発明の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００５３】
【発明の効果】
以上に説明したように，本発明によるプラズマディスプレイパネルは，改善された非表示隔壁の構造によって非表示領域内で起こる誤放電を未然に防止できるだけでなく，表示領域内に対する輝度を均一にすることができるので，製品の品位向上が可能となる。
【図面の簡単な説明】
【図１】第１の実施形態によるプラズマディスプレイパネルを示した部分の分解斜視図である。
【図２】プラズマディスプレイパネルを示した平面図である。
【図３】本発明の実施例によるプラズマディスプレイパネルを示した部分断面図である。
【図４】第１の実施形態によるプラズマディスプレイパネルの非表示隔壁と放電維持電極間の関係を説明するための概略図である。
【図５】第２の実施形態によるプラズマディスプレイパネルの非表示隔壁と放電維持電極間の関係を説明するための概略図である。
【図６】第３の実施形態によるプラズマディスプレイパネルの非表示隔壁と放電維持電極間の関係を説明するための概略図である。
【図７】第４の実施形態によるプラズマディスプレイパネルの表示隔壁がストライプパターンであるときの概略図である。
【図８】第５の実施形態によるプラズマディスプレイパネルの隔壁を説明するための概略図である。
【符号の説明】
２０　　第１基板
２２　　第２基板
２４　　第１誘電層
２６　　アドレス電極
２８　　第２誘電層
３０　　放電維持電極
３２　　保護膜
３４　　表示隔壁
３４ａ　最外郭隔壁
３４ｂ　２次最外郭隔壁
３６　　放電空間
３８　　蛍光層
４０　　表示領域
４２　　非表示領域
４４　　非表示隔壁
４４ａ　第１非表示隔壁部
４４ｂ　第２非表示隔壁部
【図１】
2004103562.tif 000003
【図２】
2004103562.tif 000004
【図３】
2004103562.tif 000005
【図４】
2004103562.tif 000006
【図５】
2004103562.tif 000007
【図６】
2004103562.tif 000008
【図７】
2004103562.tif 000009
【図８】
2004103562.tif 000010